(57)【要約】【課題】住宅やホテル等のドア、又は金庫やロッカー等の扉、又は自動車のイグニッションキー等において、複製が困難なホログラムＩＤの照合一致によりキー操作を行うことができ、更には誰がいつ施錠又は解錠を行ったのかを管理することができる、ホログラムＩＤキーシステムを得る。【解決手段】複数ビットからなるＩＤ情報を有した円形バーコードによるホログラムをキーの表面に少なくとも１箇所以上転写したホログラムＩＤキーを使用し、該ホログラムＩＤキーを挿入するための電気錠の鍵穴内において、前記ホログラムの対向面に配設したホログラム検出部にてキーに転写したホログラムよりＩＤ情報を検出し、電気錠の制御部に予め設定されているＩＤ情報と比較を行い、ＩＤ情報が一致した場合にのみキー操作が行えるシステムとする。【選択図】        図１
2004257138.tif 000002
【特許請求の範囲】
【請求項１】
複数ビットからなるＩＤ情報を有した円形バーコードによるホログラムをキーの表面に少なくとも１箇所以上転写したホログラムＩＤキーを使用し、該ホログラムＩＤキーを挿入するための電気錠の鍵穴内において、前記ホログラムの対向面に配設したホログラム検出部にてキーに転写したホログラムよりＩＤ情報を検出し、電気錠の制御部に予め設定されているＩＤ情報と比較を行い、ＩＤ情報が一致した場合にのみキー操作が行えることを特徴とした、ホログラムＩＤキーシステム。
【請求項２】
複数ビットからなるＩＤ情報を有した円形バーコードによるホログラムをカードの表面に少なくとも１箇所以上転写したホログラムＩＤカードを使用し、カードリーダーにホログラムＩＤカードを通してカードに転写したホログラムよりＩＤ情報を検出し、電気錠の制御部に予め設定されているＩＤ情報と比較を行い、ＩＤ情報が一致した場合にのみキー操作が行えることを特徴とした、ホログラムＩＤキーシステム。
【請求項３】
ホログラムＩＤキーを複数の人が個々に持って使用する場合、ホログラムに異なるＩＤ情報を転写し又は転写位置のパターンを変え、各ホログラムＩＤキーの使用者に割り当てられたＩＤ情報又は転写位置情報をサーバー又はセキュリティ管理センターで判断処理することにより、誰がいつ施錠又は解錠したかを管理することができることを特徴とした、請求項１又は請求項２に記載のホログラムＩＤキーシステム。
【請求項４】
ホログラムＩＤキーシステムを採用したドアや扉等が多数ある場所においては、電気錠内のネットワーク通信部にて各電気錠をＬＡＮ接続することにより、該ＬＡＮに接続されたサーバーにてドアや扉等の開閉状態及び誰がいつ施錠又は解錠を行ったのかを確認することができ、更に該ＬＡＮに接続されたサーバーをネットワークを経由してセキュリティ管理センターと接続し、ドアや扉等の開閉情報をデーターベース化することにより一元的にセキュリティ管理を行うことができることを特徴とした、請求項１又は請求項２に記載のホログラムＩＤキーシステム。
【発明の詳細な説明】
【０００１】
【発明の属する技術分野】
本発明は、住宅やホテル等のドア、又は金庫やロッカー等の扉、又は自動車のイグニッションキー等において、ホログラムＩＤの照合一致によりキー操作を行うことができる、ホログラムＩＤキーシステムに関するものである。
【０００２】
【従来の技術】
従来、住宅やホテル等のドア、又は金庫やロッカー等の扉の施錠又は解錠を行う場合、シリンダー錠等の鍵穴に鍵を挿入して施錠又は解錠を行うのが一般的であった。また、ダイヤル合わせ又はテンキー入力により数字設定を行い、解錠する方式も普及している。
【０００３】
また、自動車のエンジンを始動させる場合、イグニッションキーの鍵穴に自動車キーを挿入してキー操作を行い、エンジン始動を行うのが一般的であった。
【０００４】
【発明が解決しようとする課題】
しかしながら、上記鍵により解錠を行う一般的な錠の場合、該錠の鍵穴に針金や専用工具を挿入してドアや扉が解錠されることにより盗難等の被害にあうピッキングと称される犯罪が近年特に多発しており社会問題となっている。また、合鍵の複製も容易にできるため、不正に入手した合鍵による住宅やホテル等の室内又は金庫やロッカー等内における金品の盗難や、自動車の盗難等の犯罪が多発しているといった問題点もあった。
【０００５】
また、一つの錠を複数の人が個々に持った鍵により施錠又は解錠する場合、誰がいつ施錠又は解錠を行ったのかを管理することができないといった問題点もあった。
【０００６】
本発明は、上記のような問題点を解決するために成されたものであり、住宅やホテル等のドア、又は金庫やロッカー等の扉、又は自動車のイグニッションキー等において、複製が困難なホログラムＩＤの照合一致によりキー操作を行うことができ、更には誰がいつ施錠又は解錠を行ったのかを管理することができる、ホログラムＩＤキーシステムを提供することを目的とする。
【０００７】
【課題を解決するための手段】
上記課題を解決するため、本発明のホログラムＩＤキーシステムにおいては、複数ビットからなるＩＤ情報を有した円形バーコードによるホログラムをキーの表面に少なくとも１箇所以上転写したホログラムＩＤキーを使用し、該ホログラムＩＤキーを挿入するための電気錠の鍵穴内において、前記ホログラムの対向面に配設したホログラム検出部にてキーに転写したホログラムよりＩＤ情報を検出し、電気錠の制御部に予め設定されているＩＤ情報と比較を行い、ＩＤ情報が一致した場合にのみキー操作が行えるシステムとする。
【０００８】
【発明の実施の形態及び実施例】
本発明の実施の形態及び実施例を図を用いて説明する。まず、本発明のホログラムＩＤキーシステムにおいては、複数ビットからなるＩＤ情報を有した円形バーコードによるホログラムをキーの表面に少なくとも１箇所以上転写したホログラムＩＤキーを使用するものとする。図１は本発明のホログラムＩＤキーシステムで使用するホログラムＩＤキーの一実施例の外形図であり、（ａ）は正面図，（ｂ）はＡ−Ａ断面図である。
【０００９】
該図はキー２の表面にホログラム３を転写するための凹部４を複数個配設し、該凹部４内に複数ビットからなるＩＤ情報を有した円形バーコードによるホログラム３を転写したホログラムＩＤキー１を示している。該ホログラム３の形状は円形とし、大きさや凹部４の深さは任意で構わない。また、ホログラム３の転写位置や個数も任意で構わなく、更にはおもて又は裏のどちらの面に転写しても構わない。
【００１０】
図２は円形バーコードによるホログラムの記録・検出用の円形バーコードスリットの原理図であり、フィルム７に細スリット９及び太スリット１０を同心円状に複数本配列した円形バーコード８を形成し当該円形バーコード８の中心部にレーザー光６による参照光を透過させるための透過孔１１を形成する。該円形バーコード８は図中点線部の狭い範囲を見れば一般的な直線バーコード１２と等価であり、細スリット９や太スリット１０の本数や間隔及び順序を変えて配列することにより複数ビットから成るＩＤ情報を記録することができる。なお、図２では分かりやすくするため円形バーコード８を黒の実線で示しているが、実際には当該実線部を透明とし他の部分を黒等でマスキングして形成する。また、レーザー光６は、該フィルム７の面に対し垂直方向から照射するものとする。
【００１１】
円形バーコードによるホログラムの記録原理として、フィルム７を透過したレーザー光６を円形バーコード８の情報を含んだ物体光として焦点に集光させ、更に参照光としてレーザー光６を焦点に直に入射させると、該物体光と参照光により焦点上に干渉縞が発生し、ホログラム３として記録されることになる。該原理を用いて円形バーコードによるホログラム３をキー２の凹部４に転写する。
【００１２】
また、円形バーコードによるホログラムの検出原理として、同心円状に細スリット９及び太スリット１０を複数本配列した円形バーコード８を形成したフィルム７にレーザー光６を照射すると、フィルム７を透過した円形バーコード８の情報を含んだ物体光が焦点上のホログラム３に集光して反射光が発生する。そして、該反射光をホログラム検出部１４に導入し相関出力即ちコリレーションピークの有無を検出する。ここで、コリレーションピークが検出されるとフィルム７のＩＤパターン情報と円形バーコードによるホログラム情報とが一致したことになりＩＤ情報を検出することができる。
【００１３】
ＩＤ情報として、例えば８ビットのＩＤ情報を有した円形バーコードによるホログラム３からは２８＝２５６のＩＤを識別できる。そして、該ホログラム３をキー２の表面に少なくとも１箇所以上転写することにより必要なＩＤ情報をホログラムＩＤキー１に記録することができる。なお、図１ではキー２の表面の４箇所にホログラム３が転写されているが、必ずしも４箇所全てのホログラム３を照合する必要はなく、ダミーとしてのホログラム３の転写を行っても構わない。また、該ホログラムＩＤキー１を複数の人が個々に持って使用する場合、ホログラム３に異なるＩＤ情報を転写し又は転写位置のパターンを変え、各ホログラムＩＤキー１の使用者に割り当てられたＩＤ情報又は転写位置情報を後述のサーバー２２又はセキュリティ管理センター２４で判断処理することにより、誰がいつ施錠又は解錠したかを管理することができる。
【００１４】
なお、キー２の側面には従来からのキー溝５が刻設してあるが、本発明のホログラムＩＤキー１はホログラムＩＤの照合一致により解錠が行えるキーシステムであるため、キー溝５による解錠操作は必須ではなく、該キー溝５は無くても構わない。
【００１５】
上述のように、ホログラム３をキー２に転写するためには、円形バーコードによるホログラムの記録・検出用の円形バーコードスリット及びレーザー光が必要であるため、合鍵店等での合鍵複製が困難若しくは不可能となる。
【００１６】
また、図３は本発明のホログラムＩＤキーシステムを構成する電気錠のブロック図であり、電気錠１３は、ホログラムＩＤキー１に転写したホログラム３の対向面に配設され当該ホログラム３よりＩＤ情報を検出するためのホログラム検出部１４と、ホログラムＩＤの照合結果が一致した場合に施錠杆１７を解除して解錠するための施錠杆駆動部１６と、前記ホログラム検出部１４と施錠杆駆動部１６の制御を行うための制御部１５と、該電気錠１３を構成する各ブロックに電源を供給するための電源部１９等により構成する。また、システム内に複数の電気錠１３があり、各電気錠１３をネットワーク接続して管理を行う場合には、ネットワーク通信部１８を内蔵して構成する。
【００１７】
図５は本発明のホログラムＩＤキーシステムにおけるネットワーク構築例を示した図であり、オフィスやホテル等におけるホログラムＩＤキーシステムを採用したドアや扉等が多数ある場所においては、電気錠１３内のネットワーク通信部１８にて各電気錠１３をＬＡＮ接続することにより、該ＬＡＮに接続されたサーバー２２にてドアや扉等の開閉状態及び誰がいつ施錠又は解錠を行ったのかを確認することができる。更に該ＬＡＮに接続されたサーバー２２をネットワーク２３を経由してセキュリティ管理センター２４と接続し、各オフィスやホテル等のドアや扉等の開閉情報をデーターベース化することにより一元的にセキュリティ管理を行うことができる。
【００１８】
また、図４は本発明のホログラムＩＤキーシステムで使用するホログラムＩＤキーの他の実施例の外形図であり、複数ビットからなるＩＤ情報を有した円形バーコードによるホログラム３をカード２１の表面に少なくとも１箇所以上転写したホログラムＩＤカード２０とする。該ホログラムＩＤカード２０の場合には、カード２１の表面に直にホログラム３を転写して構わない。使用方法は、上述のホログラムＩＤキー１の場合とほぼ同様であり、錠の鍵穴にキー２を挿入する代わりにカードリーダー（図示せず）にホログラムＩＤカード２０を通してカード２１に転写したホログラム３よりＩＤ情報を検出し、電気錠１３の制御部１５に予め設定されているＩＤ情報と比較を行い、ＩＤ情報が一致した場合にのみキー操作が行えるシステムとする。
【００１９】
【発明の効果】
以上述べたように、本発明のホログラムＩＤキーシステムを住宅やホテル等のドア、又は金庫やロッカー等の扉、又は自動車のイグニッションキー等のキー操作を行う全ての対象物において採用すれば、鍵によるキー操作を行うことなく複製が困難なホログラムＩＤキーにより解錠やエンジン始動を行うことができるため、ピッキングや不正に入手した合鍵による盗難等の被害にあうことがなくなるという効果を奏する。また、ドアや扉等が多数ある場所において当該電気錠をＬＡＮ接続し、更にネットワークを経由してセキュリティ管理センターと接続すれば、一元的にセキュリティ管理を行うことができるという効果も奏する。
【図面の簡単な説明】
【図１】本発明のホログラムＩＤキーシステムで使用するホログラムＩＤキーの一実施例の外形図であり、（ａ）は正面図，（ｂ）はＡ−Ａ断面図である。
【図２】円形バーコードによるホログラムの記録・検出用の円形バーコードスリットの原理図である。
【図３】本発明のホログラムＩＤキーシステムを構成する電気錠のブロック図である。
【図４】本発明のホログラムＩＤキーシステムで使用するホログラムＩＤキーの他の実施例の外形図である。
【図５】本発明のホログラムＩＤキーシステムにおけるネットワーク構築例を示した図である。
【符号の説明】
１  ホログラムＩＤキー
２  キー
３  ホログラム
４  凹部
５  キー溝
６  レーザー光
７  フィルム
８  円形バーコード
９  細スリット
１０  太スリット
１１  透過孔
１２  直線バーコード
１３  電気錠
１４  ホログラム検出部
１５  制御部
１６  施錠杆駆動部
１７  施錠杆
１８  ネットワーク通信部
１９  電源部
２０  ホログラムＩＤカード
２１  カード
２２  サーバー
２３  ネットワーク
２４  セキュリティ管理センター
【図１】
2004257138.tif 000003
【図２】
2004257138.tif 000004
【図３】
2004257138.tif 000005
【図４】
2004257138.tif 000006
【図５】
2004257138.tif 000007